(57)【要約】【課題】複数の液槽を有する排液処理装置にて、効率的な排液処理を実現すること。【解決手段】本開示の排液処理装置は、筐体１６と、筐体１６内に配設された第一の液槽１と、筐体１６内に配設され、第一の液槽１の下方に配設された第二の液槽２と、第一の液槽１内の液体を機外へ排出する第一の排液経路３と、第二の液槽２内の液体を機外へ排出する第二の排液経路４と、第二の排液経路４に設けられた排液ポンプ１５と、を備える。また、第一の排液経路３には、第一の開閉弁７が配設され、第二の排液経路４には、排液ポンプ１５の上流に第二の開閉弁８が設けられ、第二の排液経路４は、排液ポンプ１５の下流側にある経路合流部１９で第一の排液経路３に合流するとともに、排液ポンプ１５は、第一の液槽１の最高液位に相当する揚程以上の吸込能力を有する。これにより、複数の液槽の任意の液槽から排液できるため、効率的な排液処理を実現することができる。【選択図】図１
2020068928.tif 000002
【特許請求の範囲】
【請求項１】
筐体と、前記筐体内に配設された第一の液槽と、前記筐体内に配設され、前記第一の液槽の下方に配設された第二の液槽と、前記第一の液槽内の液体を機外へ排出する第一の排液経路と、前記第二の液槽内の液体を機外へ排出する第二の排液経路と、前記第二の排液経路に設けられた排液ポンプと、を備え、
前記第一の排液経路は、第一の開閉弁が配設され、前記第二の排液経路には、前記排液ポンプの上流に第一の開閉弁が設けられ、
前記第二の排液経路は、前記排液ポンプの下流側にある経路合流部で前記第一の排液経路に合流するとともに、前記排液ポンプは、前記第一の液槽の最高液位に相当する揚程以上の吸込能力を有する排液処理装置。
【請求項２】
前記第一の排液経路は、前記開閉弁と前記経路合流部との間に配設され、下流からの液体侵入を防止する第一の逆止弁を有し、前記第二の排液経路は、前記排液ポンプの下流側に配設され、下流からの液体侵入を防止する第二の逆止弁を有する、請求項１に記載の排液処理装置。
【請求項３】
排液ポンプは、制御装置によりインバータ制御可能とした請求項１または２に記載の排液処理装置。
【請求項４】
筐体と、前記筐体内に配設された液体を溜めることのできる第一の液槽と、前記第一の液槽内の液体を機外へ排出する第一の排液経路と、前記第一の排液経路に設けられた第一の開閉弁と、記第一の開閉弁の下流側に設けられた下流からの液体侵入を防止する第一の逆止弁と、前記第一の液槽内の液位を検知する第一の液位センサーと、前記第一の液槽の下方に配設され、前記第一の液槽とは独立し、第一の液槽と同様に液体を溜めることのできる二つ以上の複数の液槽と、前記複数の各液槽に配設され、各液槽内の液体を機外へ排出する複数の排液経路と、複数の排液経路からの排液を機外へ放出する排液口と、前記複数の排液経路のそれぞれに設けられた複数の開閉弁と、前記複数の各開閉弁の下流側に設けられた複数の排液ポンプと、前記複数の各排液ポンプの下流側に設けられた下流からの液体侵入を防止する複数の逆止弁と、前記複数の液槽内の液位を検知する複数の液位センサーと、前記第一の液位センサーおよび前記複数の液位センサーからの液位情報を入力して、前記第一の開閉弁、複数の開閉弁、複数の排液ポンプの動作を制御する制御装置とを備え、前記複数の排液ポンプは、前記第一の液槽の最高液位に相当する揚程以上の吸込能力を持つとともに、前記制御装置は、前記複数の液槽の液位を検知して、前記排液口の排液処理能力に応じて、前記第一の開閉弁あるいは複数の開閉弁、および、複数の排液ポンプが動作する優先度を決定する排液処理装置。
【発明の詳細な説明】
【技術分野】
【０００１】
本発明は、液位の異なる複数の液槽を有する排液処理装置に関する。
【背景技術】
【０００２】
従来、この種の排液処理装置としては、一つの筐体内に複数の洗濯槽を有するドラム式洗濯機の構成が提案されている（例えば、特許文献１参照）。
【０００３】
図３は、特許文献１に記載された従来の排液処理装置としてのドラム式洗濯機の内部構造の斜視図である。
【０００４】
図３において、筐体２５３（枠組のみ表示）内に、上部に第１洗濯ドラム２５１、下部に第２洗濯槽２５２が配設されている。第１洗濯槽２５１、第２洗濯槽２５２では、個別に洗濯物を投入して、洗い、すすぎ、脱水などの行程を行うことができるようになっている。
【０００５】
行程中において、第１洗濯槽２５１で排水プロセス又は脱水プロセスが行われる前には、第２洗濯槽２５２で排水プロセス又は脱水プロセスが実行中かどうかを確認する。
【０００６】
そして、実行中の場合は、第１洗濯槽２５１で排水プロセス又は脱水プロセスの実行を一時停止し、第２洗濯槽２５２での排水プロセスおよび脱水プロセスの実行終了を待ってから、第１洗濯槽２５１での排水プロセス又は脱水プロセスの実行を行う。
【先行技術文献】
【特許文献】
【０００７】
【特許文献１】特表２０１７−５３６９０２号公報
【発明の概要】
【発明が解決しようとする課題】
【０００８】
しかしながら、前記従来の構成では、一方の洗濯槽が排水を終わるまで他方の洗濯槽の運転を遅延させるので、運転時間が増加するという課題があった。
【０００９】
本開示は、上記従来の課題を解決するもので、複数の液槽の任意の液槽から排液できるため、効率的に排液できる排液処理装置を提供する。
【課題を解決するための手段】
【００１０】
前記従来の課題を解決するために、本開示の排液処理装置は、筐体と、前記筐体内に配設された第一の液槽と、前記筐体内に配設され、前記第一の液槽の下方に配設された第二の液槽と、前記第一の液槽内の液体を機外へ排出する第一の排液経路と、前記第二の液槽内の液体を機外へ排出する第二の排液経路と、前記第二の排液経路に設けられた排液ポンプと、を備える。また、前記第一の排液経路には、第一の開閉弁が配設され、前記第二の排液経路には、前記排液ポンプの上流に第一の開閉弁が設けられ、前記第二の排液経路は、前記排液ポンプの下流側にある経路合流部で前記第一の排液経路に合流するとともに、前記排液ポンプは、前記第一の液槽の最高液位に相当する揚程以上の吸込能力を有する。
【発明の効果】
【００１１】
本開示の排液処理装置は複数の液槽の任意の液槽から排液できるので、効率的に排液できる。
【図面の簡単な説明】
【００１２】
【図１】本発明の第１の実施の形態における排液処理装置の構造図
【図２】本発明の第２の実施の形態における排液処理装置の構造図
【図３】従来の排液処理装置としてのドラム式洗濯機の内部構造の斜視図
【発明を実施するための形態】
【００１３】
第１の発明は、筐体と、前記筐体内に配設された液体を溜めることのできる第一の液槽と、前記第一の液槽の下方に配設され、前記第一の液槽とは独立し、第一の液槽と同様に液体を溜めることのできる第二の液槽と、前記第一の液槽内の液体を機外へ排出する第一の排液経路と、前記第一の排液経路に設けられた第一の開閉弁と、前記第一の開閉弁の上流側に設けられた異物捕集用の第一のフィルターと、記第一の開閉弁の下流側に設けられた下流からの液体侵入を防止する第一の逆止弁と、前記第一の液槽内の液位を検知する第一の液位センサーと、前記第二の液槽内の液体を機外へ排出する第二の排液経路と、前記第二の排液経路に設けられた第二の開閉弁と、前記第二の開閉弁の上流側に設けられた異物捕集用の第二のフィルターと、前記第二の開閉弁の下流側に設けられた排液ポンプと、前記排液ポンプの下流側に設けられた下流からの液体侵入を防止する第二の逆止弁と、前記第二の液槽内の液位を検知する第二の液位センサーと、前記第一の液位センサーおよび前記第二の液位センサーからの液位情報を入力して、前記第一の開閉弁、第二の開閉弁、排液ポンプの動作を制御する制御装置とを備え、前記排液ポンプは、前記第一の液槽の最高液位に相当する揚程以上の吸込能力を持つ構成とすることにより、複数の液槽の任意の液槽から優先的に排液できる、もしくは、複数の液槽からの排液を同時に行えるため、効率的な排液処理を実現することができる。
【００１４】
第２の発明は、特に、第１の発明の第一の排液経路は、第二の逆止弁の下流側にある経路合流部で第二の排液経路に合流するとともに、第一の逆止弁は、前記経路合流部の上流側に配設する構成とすることにより、排液ポンプが駆動中であっても、第二の液槽からの排液が経路合流部から第一の液槽へ逆流することを防止することができる。
【００１５】
第３の発明は、特に、第１または第２の発明の排液ポンプは、制御装置によりインバータ制御可能な構成とすることにより、排液口の排液処理能力に応じた排液が可能となり、排液口における液の溢れを防止することができる。
【００１６】
第４の発明は、筐体と、前記筐体内に配設された液体を溜めることのできる第一の液槽と、前記第一の液槽内の液体を機外へ排出する第一の排液経路と、前記第一の排液経路に設けられた第一の開閉弁と、前記第一の開閉弁の上流側に設けられた異物捕集用の第一のフィルターと、記第一の開閉弁の下流側に設けられた下流からの液体侵入を防止する第一の逆止弁と、前記第一の液槽内の液位を検知する第一の液位センサーと、前記第一の液槽の下方に配設され、前記第一の液槽とは独立し、第一の液槽と同様に液体を溜めることのできる二つ以上の複数の液槽と、前記複数の各液槽に配設され、各液槽内の液体を機外へ排出する複数の排液経路と、複数の排液経路からの排液を機外へ放出する排液口と、前記複数の排液経路のそれぞれに設けられた複数の開閉弁と、前記複数の各開閉弁の上流側に設けられた異物捕集用のフィルターと、前記複数の各開閉弁の下流側に設けられた複数の排液ポンプと、前記複数の各排液ポンプの下流側に設けられた下流からの液体侵入を防止する複数の逆止弁と、前記複数の液槽内の液位を検知する複数の液位センサーと、前記第一の液位センサーおよび前記複数の液位センサーからの液位情報を入力して、前記第一の開閉弁、複数の開閉弁、複数の排液ポンプの動作を制御する制御装置とを備え、前記複数の排液ポンプは、前記第一の液槽の最高液位に相当する揚程以上の吸込能力を持つとともに、前記制御装置は、前記複数の液槽の液位を検知して、前記排液口の排液処理能力に応じて、前記第一の開閉弁あるいは複数の開閉弁、および、複数の排液ポンプが動作する優
先度を決定する構成とすることにより、排液口における液の溢れを防止して、複数の液槽の任意の液槽から優先的に排液できる、もしくは、複数の液槽からの排液を同時に行えるため、効率的な排液処理を実現することができる。
【００１７】
以下、発明の実施の形態について、図面を参照しながら説明する。なお、この実施の形態によって本発明が限定されるものではない。
【００１８】
（実施の形態１）
図１は、本発明の第１の実施の形態における排液処理装置の構造図である。
【００１９】
図１において、筐体１６内には液体を溜めることのできる第一の液槽１が配設され、その下方には第一の液槽１とは独立し、第一の液槽１と同様に液体を溜めることのできる第二の液槽２が配設されている。
【００２０】
第一の液槽１の底面には下方に降りていく第一の排液経路３が配管され、第一の開閉弁７の開閉により、第一の液槽１内の液体が先端の排液口１３から機外へ排出されるようになっている。
【００２１】
そして、第一の排液経路３には、第一の開閉弁７の上流側には異物捕集用の第一のフィルター９が配設され、下流側には第一の逆止弁５が配設されている。第一の逆止弁５は、下流側からの逆流水や臭いの侵入を防止するものである。
【００２２】
また、第一の液槽１の底面には第一の液位ホース１７が接続され、第一の液位ホース１７先端に設けられた第一の液位センサー１１により、第一の液槽１内の液位を検知することができる。
【００２３】
第二の液槽２の底面には、略水平方向に第二の排液経路４が配管され、第二の開閉弁８の開閉、および、排液ポンプ１５の動作により、第二の液槽２内の液体が先端の排液口１３から機外へ排出されるようになっている。なお、第一の排液経路３と第二の排液経路４は、経路合流部１９にて合流している。
【００２４】
そして、第二の排液経路４には、第二の開閉弁８の上流側には異物捕集用の第二のフィルター１０が配設され、下流側には上述の排液ポンプ１５が配設され、その排液ポンプ１５の下流側に第二の逆止弁６が配設されている。第二の逆止弁６は、下流側からの逆流水や臭いの侵入を防止するものである。
【００２５】
また、第二の液槽２の底面には第二の液位ホース１８が接続され、第二の液位ホース１８先端に設けられた第二の液位センサー１２により、第二の液槽２内の液位を検知することができる。
【００２６】
また、排液ポンプ１５は、インバータ制御にて回転数を自在に変更することが可能であり、第一の液槽１の最高液位に相当する揚程以上の吸込能力を持っている。
制御装置１４は、第一の液位センサー１１および第二の液位センサー１２からの液位情報を入力して、第一の開閉弁７、第二の開閉弁８、排液ポンプ１５の動作を制御するものである。
【００２７】
第一の液槽１の排液時においても、第二の排液経路４に配設した排液ポンプ１５を駆動することで、第二の液槽２の排液を優先的に行うことができる。当然の事ながら、排液ポンプ１５を停止すれば、第一の液槽１の排液を優先的に行うこともできる。
また、第一の排液経路３に第一の逆止弁５を設けているので、排液ポンプ１５が駆動中で
あっても、第二の液槽２からの排液が経路合流部１９から第一の液槽１へ逆流することはない。
【００２８】
また、第一の液槽１と第二の液槽２から同時に排液する場合でも、第二の液槽２の第二の排液経路４に配設した排液ポンプ１５のモータ回転数を調整することで、排液口１３の排液処理能力に応じた排液が可能となり、排液口１３における液の溢れを防止することができる。
【００２９】
なお、本実施の形態における二つの液槽を洗濯槽にして、その内部に洗濯物を収容する内槽などを設けた洗濯機としても良い。内槽は、回転ドラムであってもよいし、攪拌翼を備えた内槽であってもよい。
【００３０】
以上の通り、実施の形態１における排液処理装置は、筐体１６と、筐体１６内に配設された第一の液槽１と、筐体１６内に配設され、第一の液槽の下方に配設された第二の液槽２と、第一の液槽１内の液体を機外へ排出する第一の排液経路３と、第二の液槽２内の液体を機外へ排出する第二の排液経路４と、第二の排液経路４に設けられた排液ポンプ１５と、を備える。第一の排液経路３には、第一の開閉弁７が配設され、第二の排液経路４には、排液ポンプ１５の上流に第一の開閉弁７が設けられ、第二の排液経路４は、排液ポンプ１５の下流側にある経路合流部１９で第一の排液経路３に合流するとともに、排液ポンプ１５は、第一の液槽１の最高液位に相当する揚程以上の吸込能力を有する。
【００３１】
これにより、複数の液槽の任意の液槽から優先的に排液できる、もしくは、複数の液槽からの排液を同時に行えるため、効率的な排液処理を実現することができる。
【００３２】
また、実施の形態１のように、第一の排液経路３は、第二の逆止弁６の下流側にある経路合流部１９で第二の排液経路４に合流するとともに、第一の逆止弁５は、経路合流部１９の上流側に配設する構成にしてもよい。これにより、排液ポンプ１５が駆動中であっても、第二の液槽２からの排液が経路合流部１９から第一の液槽１へ逆流することを防止することができる。
【００３３】
また、実施の形態１のように、排液ポンプ１５は、制御装置１４によりインバータ制御可能な構成としてもよい。これにより、排液口１３の排液処理能力に応じた排液が可能となり、排液口１３における液の溢れを防止することができる。
【００３４】
（実施の形態２）
図２は、本発明の第２の実施の形態における排液処理装置の構造図である。第一の液槽１、第二の液槽２回りの構成については、第１の実施の形態と同じであり、同一部位には同一符号を付して説明を省略する。
【００３５】
図２において、筐体１６内において、第二の液槽２の下方に、さらに、第二の液槽２と同様の第三の液槽、第四の液槽、・・・と多くの液槽が配設されており、最下方が第ｎの液槽１０２である。
【００３６】
第ｎの液槽１０２の底面には第ｎの液位ホース１１８が接続され、第ｎの液位ホース１１８先端に設けられた第ｎの液位センサー１１２により、第ｎの液槽１０２内の液位を検知することができる。
【００３７】
第ｎの液槽１０２内の排液は、第ｎの排液経路１０４に設けられた第ｎのフィルター１１０を介し、第ｎの開閉弁１０８の開閉、および、第ｎの排液ポンプ１１５の動作により、第ｎの逆止弁１０６を経由して、排液口１３から機外へ排出されるようになっている。
【００３８】
また、第一の排液経路３は最下方まで降りており、第二の液槽２以下すべての液槽の排液経路と合流しており、最下方では経路合流部１１９で第ｎの排液経路１０４と合流している。
【００３９】
また、第ｎの排液ポンプ１１５は、最下方の第ｎの液槽１０２から第一の液槽の最高液位に相当する揚程以上の吸込能力を持っている。
【００４０】
以上の構成にて、第一の液槽１の排液時においても、各液槽の排液経路に設けた排液ポンプ、例えば、第ｎの排液経路１０４に設けた第ｎの排液ポンプ１１５を駆動することで、第ｎの液槽１０２の排液を優先的に行うことができる。当然の事ながら、第ｎの排液ポンプ１１５を停止すれば、第一の液槽１の排液を優先的に行うこともできる。
【００４１】
また、複数の液槽から同時に排液する場合でも、各液槽の排液経路に配設した逆止弁の作用や、制御装置１４により各液槽の排液経路に配設した各排液ポンプの駆動を制御し、および、モータ回転数を調整することで、他の液槽への逆流も無く、排液口１３における液の溢れを防止することができる。
【００４２】
以上のように、本実施の形態においては、複数の排液ポンプは、第一の液槽の最高液位に相当する揚程以上の吸込能力を持つとともに、制御装置１４は、複数の液槽の液位を検知して、排液口１３の排液処理能力に応じて、第一の開閉弁７あるいは複数の開閉弁、および、複数の排液ポンプが動作する優先度を決定する構成とすることにより、排液口１３における液の溢れを防止して、複数の液槽の任意の液槽から優先的に排液できる、もしくは、複数の液槽からの排液を同時に行えるため、効率的な排液処理を実現することができる。
【００４３】
なお、本実施の形態では、排液処理装置の排液について説明しなかったが、排液は洗濯の排液であればよい。従って、衣類を洗濯した排液でもよいし、他の排液装置であってもよい。従って、排液処理装置は、縦型洗濯機やドラム式洗濯機に代表される、衣類を洗濯する洗濯機であってもよい。洗濯機である場合、洗濯機は複数の液槽を備えていればよく、第一の液槽は、縦型の液槽であってもよいし、回転ドラムであってもよい。また、第二の液槽も、縦型の液槽であってもよいし、回転ドラムであってもよい。
【産業上の利用可能性】
【００４４】
本開示は、複数の液槽を有する排液処理装置に適用可能である。具体的には、縦型洗濯機、ドラム式洗濯機、二槽式洗濯機などに、本開示は適用可能である。
【符号の説明】
【００４５】
１  第一の液槽
２  第二の液槽
３  第一の排液経路
４  第二の排液経路
５  第一の逆止弁
６  第二の逆止弁
７  第一の開閉弁
８  第二の開閉弁
９  第一のフィルター
１０  第二のフィルター
１１  第一の液位センサー
１２  第二の液位センサー
１３  排液口
１４  制御装置
１５  排液ポンプ
１６  筐体
１９  経路合流部
１０２  第ｎの液槽
１０４  第ｎの排液経路
１０６  第ｎの逆止弁
１０８  第ｎの開閉弁
１１０  第ｎのフィルター
１１５  第ｎの排液ポンプ
１１９  経路合流部
【図１】
2020068928.tif 000003
【図２】
2020068928.tif 000004
【図３】
2020068928.tif 000005